(57)【要約】【課題】  高齢者の使用に好適で、かつ、ユーザの要求に応じて自分好みの高さ組合を選ぶことができ、椅子の座を元位置に回転させることができる高齢者用椅子を作成する。【解決手段】  昇降機能を持つ高齢者用椅子は、椅子の座と、背もたれと、２本のひじ掛けと、椅子の脚とを含む。椅子の脚は、４本の内脚柱を有する内脚座及び４本の外脚柱を有する外脚座を含む。内脚柱毎に縦方向に配列する２つの内孔が設けられ、内孔毎の中にナットが設けられる。外脚柱が内脚柱の外側に対応して設けられ、外脚柱毎に縦方向に配列する複数の外孔が設けられ、外脚柱毎に２つの固定ボルトが配合して設けられる。固定ボルトは、対応する外脚柱の外孔及び内脚柱の内孔を挿通して、内孔中のナットに螺合することで、脚高さを固定する。さらに、椅子の座と椅子の脚との間に回転盤が連結される。【選択図】図１
0003149443.tif 000002
【実用新案登録請求の範囲】
【請求項１】
昇降機能を持つ高齢者用椅子であって、
椅子の座と、
前記椅子の座に連結する背もたれと、
前記椅子の座の両側に連結する２本のひじ掛けと、
椅子の脚と、
回転盤と、
を備え、
前記椅子の脚は、４本の内脚柱を有する内脚座及び４本の外脚柱を有する外脚座を含み、内脚柱毎に縦方向に配列する２つの内孔が設けられ、内孔毎の中にナットが設けられ、前記外脚柱が前記内脚柱の外側に対応して設けられ、外脚柱毎に縦方向に配列する複数の外孔が設けられ、外脚柱毎に２つの固定ボルトが配合して設けられ、前記固定ボルトは、対応する外脚柱の外孔及び内脚柱の内孔を挿通して、内孔中のナットに螺合することで、脚高さを固定し、
前記回転盤は、前記椅子の座の底部と前記椅子の脚の内脚座の天井部との間に連結することを特徴とする昇降機能を持つ高齢者用椅子。
【請求項２】
前記椅子の座及び背もたれの内部に、それぞれ、座フレーム及び背もたれフレームが設けられ、前記座フレームと背もたれフレームとは枢着して接続され、前記座フレームと前記背もたれフレームとの間に無段定位気圧棒が組み付けられ、前記気圧棒に合わせて外側ハンドルを有する制御レバーが設けられ、前記気圧棒のピストン棒の先端には中心弁棒が露出され、前記制御レバーの外部にねじりばねが嵌めつけて設置され、前記制御レバーの一端に押しブロックが設けられ、前記押しブロックは前記気圧棒の中心弁棒に対応することを特徴とする請求項１記載の昇降機能を持つ高齢者用椅子。
【請求項３】
前記外脚柱は、それぞれ左右両側に設けられ、２本ずつの外脚柱の間に天井板及び底板で連結されることを特徴とする請求項１記載の昇降機能を持つ高齢者用椅子。
【請求項４】
前記回転盤は、上盤及び下盤を含み、前記上盤及び下盤は、それぞれ、椅子の座の底部と椅子の脚の内脚座の天井部に締め付けて連結され、前記上盤及び下盤上に環形の凹溝及びが設けられ、前記２つの凹溝内には複数のボールが収容され、前記上盤及び下盤の中心に固定軸を挿通し、前記上盤と下盤との間に定位ブロック及び弾性部材が設けられ、前記定位ブロック及び下盤は、前記固定軸に固定され、前記弾性部材は、前記上盤に連結され、前記定位ブロックに複数の位置決め面が形成され、前記弾性部材は、前記定位ブロックを挟んで、前記定位ブロックの位置決め面に当接することを特徴とする請求項１記載の昇降機能を持つ高齢者用椅子。
【請求項５】
椅子の座と、
前記椅子の座に連結する背もたれと、
前記椅子の座の両側に連結する２本のひじ掛けと、
椅子の脚と、
回転盤と、
を備え、
前記椅子の脚は、４本の内脚柱を有する内脚座及び４本の外脚柱を有する外脚座を含み、内脚柱毎に縦方向に配列する内孔が設けられ、内孔毎の中にナットが設けられ、前記外脚柱が前記内脚柱の外側に対応して設けられ、外脚柱毎に縦方向に配列する外孔が設けられ、外脚柱毎に固定ボルトが配合して設けられ、前記固定ボルトは、対応する外脚柱の外孔及び内脚柱の内孔を挿通して、内孔中のナットに螺合することで、脚高さを固定し、
前記回転盤は、前記椅子の座の底部と前記椅子の脚の内脚座の天井部との間に連結することを特徴とする昇降機能を持つ高齢者用椅子。
【考案の詳細な説明】
【技術分野】
【０００１】
本考案は、高齢者用椅子に係り、特に、高齢者に好適に使用できる昇降機能を持つ高齢者用椅子に関るものである。
【背景技術】
【０００２】
「人口の高齢化」は、それぞれの国が遭遇する可能性のある問題である。「人口の高齢化」は、経済発展過程において通らなければならない過程でもあり、ただ度合上には軽重や遅早の区別がある。我が国では新生児の数が例年低下しており、新生児の数の減少に加えて人口平均寿命の延長によって、高齢者の人口数の割合は急速に上昇している。このような人口の高齢化の現象は、先進国では既に普遍に存在しており、多くの問題が生じたので、高度に重視され、それぞれ対応策を採っている。我が国の高齢者の数の割合は、先進国である欧米に比べなお大きな差があり、現在、人口の高齢化が切迫しているわけではないが、我が国の人口の高齢化の速度も急速になっているため、なるべく早めに適当に計画して対応できれば、人口の高齢化問題の悪化を避けることができ、さらに、今後問題を解決しようとする時により大きな代償を払わなければならない事態をも避けられる。
【０００３】
一般に、高齢化社会がもたらした高齢者の問題は、健康や、住まい、経済、社会への適応、及び休憩娯楽などの複数の方面を含む。住まいの面では、高齢者の住まい環境をより快適安全にするため、家具の改善が特に重要視されている。「椅子」は、家の中で不可欠な用具の一つである。従来の椅子は、基本的に椅子の座、背もたれ、ひじ掛け及び椅子の脚からなる。現在の事務用椅子構造では、大体、椅子座面高さ調整機構及び背もたれ傾斜調整機構が設けられるが、一般の事務用椅子は、重心不安定や、倒れ易いという問題があり、高齢者の使用には好ましくない。
【０００４】
台湾特許公告番号第４４８７２５号には、主に、木の材質製椅子の座と背もたれとの間に、連動機構、枢軸、オーバーハング及びコントローラが設けられ、背もたれの仰向き度合を適切に調節できる「木製椅子の背もたれ調節装置」が開示されている。上記の木製椅子は、重心不安定や、倒れ易いという問題がなく、高齢者に使用されるのに好適である。しかし、上記の木製椅子は、その高さが固定されるため、ユーザの要求に応じて椅子の座の高さを調整できない。高齢者は血液循環が良くないので、椅子の座の高さが高すぎるまたは低すぎると、不快適になってしまう。
【０００５】
また、市場によく見られるより高齢の方に使用される椅子がある。該椅子の製品では、ユーザ毎に好みの座面高さを選択できるようにするため、ひじ掛けを組み立てる時に、ユーザが好みの高さの孔の位置を自分で選んで組み立てる方法を採っている。しかし、この椅子は座が回転できないものであり、狭い場所で使用する場合には、椅子を移動しなければ座から離れることができないために不便となる。更に、使用場所に椅子を移動させる空間が充分に無い場合には、使用上の不便になるばかりでなく、椅子を移動することも高齢者にとっては極めて困難な作業となる。
【０００６】
そのため、本考案者は、上記欠点を改良するため、長年以来この領域で積み立てた経験により、専念な観察かつ研究をし、さらに学術理論の運用に合せ、合理な設計の本考案を提案した。
【考案の概要】
【考案が解決しようとする課題】
【０００７】
本考案は、高齢者の使用に好適で、かつ、ユーザの要求に応じて自分好みの高さ組合を選ぶことができ、椅子の座を元位置に回転させることができるので、椅子を移動しなくても座から離れることができる昇降機能を持つ高齢者用椅子を提供することを主な課題とする。
【課題を解決するための手段】
【０００８】
前記目的を達成するため、本考案が提供した昇降機能を持つ高齢者用椅子は、椅子の座と、前記椅子の座に連結する背もたれと、前記椅子の座の両側に連結する２本のひじ掛けと、椅子の脚と、回転盤とを含む。前記椅子の脚は、４本の内脚柱を有する内脚座及び４本の外脚柱を有する外脚座を含む。内脚柱毎に縦方向に配列する２つの内孔が設けられ、内孔毎の中にナットが設けられる。前記外脚柱が前記内脚柱の外側に対応して設けられ、外脚柱毎に縦方向に配列する複数の外孔が設けられ、外脚柱毎に２つの固定ボルトが配合して設けられる。前記固定ボルトは対応する外脚柱の外孔及び内脚柱の内孔を挿通して、内孔中のナットに螺合することで、脚高さを固定する。前記回転盤は、前記椅子の座の底部と前記椅子の脚の内脚座の天井部との間に連結する。
【０００９】
本考案は、以下の有利な効果を有する。本考案は、高齢者の使用に好適で、かつ、ユーザが椅子を組み立てる時に、椅子の脚の孔位置を選択することにより、ユーザの要求に応じて自分好みの高さを選ぶことができる。また、椅子の座と椅子の脚との間に回転盤が設けられるため、椅子の座を元位置に回転させることができ、ひいては椅子を移動しなくても座から離れることができる。
【００１０】
また、本考案の背もたれは、無段定位気圧棒で調節し、椅子の上からも背もたれの傾斜角度を調整できる。
【００１１】
本考案に係る特徴及び技術内容は、以下の本考案に関る詳しい説明及び添付図面を参照することにより、深く且つ具体的な理解を得られるが、それらの添付図面は参考及び説明のみに使われ、本考案の主張範囲を局限するものではない。
【図面の簡単な説明】
【００１２】
【図１】本考案に係る昇降機能を持つ高齢者用椅子を示す斜視図である。
【図２】本考案に係る昇降機能を持つ高齢者用椅子を示す側面図である。
【図３】本考案に係る椅子の座及び背もたれの内部構造を示す斜視図である。
【図４】本考案に係る背もたれ傾斜調整機構を示す斜視図である。
【図５】本考案に係る昇降機能を持つ高齢者用椅子を示す部分断面図である。
【図６】本考案に係る回転盤を示す断面図である。
【図７】本考案に係る回転盤の動作を示す図である。
【図８】本考案に係る昇降機能を持つ高齢者用椅子の使用状態を示す第一の図である。
【図９】本考案に係る昇降機能を持つ高齢者用椅子の使用状態を示す第二の図である。
【図１０】本考案に係る昇降機能を持つ高齢者用椅子の使用状態を示す第三の図である。
【考案を実施するための形態】
【００１３】
図１〜図３に示すように、本考案に係る昇降機能を持つ高齢者用椅子は、椅子の座１、背もたれ２、ひじ掛け３及び椅子の脚４を含み、椅子の座１及び背もたれ２の内部に、それぞれ、座フレーム１１及び背もたれフレーム２１が設けられ、座フレーム１１及び背もたれフレーム２１の隣接の両側が、それぞれ、枢軸２２で枢着されることで背もたれ２を椅子の座１に連結される。また、座フレーム１１と背もたれフレーム２１との間に気圧棒５が組み付けられる。気圧棒５は、無段定位気圧棒であり、かつ、安全な範囲内において背もたれフレーム２１の傾斜角度を無段式に調整するように、外側ハンドル６１を有する制御レバー６が合せて設けられる。
【００１４】
図３及び図４に示すように、該気圧棒５のピストン棒５１の先端が、座フレーム１１のブラケット１２内に締め付けて挿入され、ピストン棒５１の先端には、内部制御弁の中心弁棒５２が露出されている。制御レバー６は、座フレーム１１のブラケット１２内に横切って挿着され、制御レバー６の外部にねじりばね６２が遊嵌され、制御レバー６の一端に押しブロック６３が設けられる。押しブロック６３は該気圧棒５の中心弁棒５２に対応する。制御レバー６のその押しブロック６３は、常に気圧棒５を確実に固定させるように気圧棒５の中心弁棒５２から離れている。ユーザが制御レバー６の外側ハンドル６１を回すと、押しブロック６３は気圧棒５の中心弁棒５２内に押し入り、気圧棒５の閉鎖状態を解除する。この際、ユーザが背もたれフレーム２１に後方向への圧力を付与することで、背もたれフレーム２１は枢軸２２を軸として回動し、ユーザの要求に応じて仰向けの傾斜角度の調整を行い、背もたれ２を最適な角度まで調整できる（図９に示すように）。
【００１５】
２本のひじ掛け３は、椅子の座１の両側に締め付けて連結され、椅子の上半部に固着される。該２本のひじ掛け３は、さらに、背もたれ２の両側に延伸される。本実施例では、２本のひじ掛け３及び椅子の脚４は、木の材質である。
【００１６】
椅子の脚４は、内脚座４１及び外脚座４２を含む。内脚座４１は４本の内脚柱４１１を有し、これらの内脚柱４１１は、内脚座４１の四つの角隅に立設さられるとともに、下方向へ適当な長さを延出する。内脚柱４１１毎に縦方向に配列する２つの内孔４１２が設けられる（図５に示すように）。２つの内孔４１２は異なる高さに位置され、内孔４１２毎の中にナット４１３が埋設される。椅子の座１を椅子の脚４に回転可能に連結させるように、内脚座４１が回転盤７を介して椅子の座１の底部に連結される。
【００１７】
外脚座４２は４本の外脚柱４２１を有する。これらの外脚柱４２１は、それぞれ左右両側に設けられ、２本ずつの外脚柱４２１の間に天井板４２２及び底板４２３で連結される。天井板４２２及び底板４２３は、２本の外脚柱４２１の上下端の間に連結される。これらの外脚柱４２１は、内脚柱４１１の外側に対応して設けられる。外脚柱４２１毎に、縦方向に配列する複数の外孔４２４が設けられる。これらの外孔４２４は等間隔で設けられ、これらの外孔４２４は異なる高さに位置され、かつ、隣接の２つの外孔４２４のピッチは、２つの内孔４１２のピッチと同じである。内脚座４１及び外脚座４２の相対移動により脚４の高さを調整でき（図８に示すように）、内脚柱４１１の内孔４１２と外脚柱４２１の外孔４２４とを対応させて、外脚柱４２１毎に２つの固定ボルト４２５がそれぞれ配合して設けられる。これらの固定ボルト４２５は、対応する外脚柱４２１の外孔４２４及び内脚柱４１１の内孔４１２を挿通して、そして内孔４１２中のナット４１３に螺合することで、調整された椅子の高さを固定する。これにより、ユーザは自分好みの高さ組合を選ぶことができ、かつ、内脚柱４１１毎と外脚柱４２１毎との間は２本の固定ボルト４２５で締め付けられるので、結合はより安定的となる。
【００１８】
図６及び図７に示すように、回転盤７は、椅子の座１の底部と椅子の脚４の内脚座４１の天井部との間に連結され、上盤７１及び下盤７２を含む。上盤７１及び下盤７２は、それぞれ、椅子の座１の底部と椅子の脚４の内脚座４１の天井部に締め付けて連結される。上盤７１及び下盤７２上には、環形の凹溝７１１及び７２１が設けられる。凹溝７１１及び７２１は、上下に対向して設けられ、凹溝７１１及び７２１内には複数のボール７３が収容される。さらに、上盤７１及び下盤７２を連結するため、上盤７１及び下盤７２の中心に固定軸７４を挿通している。これにより、上盤７１及び下盤７２が互いに回転自在となり、椅子の座１を椅子の脚４に回転可能に連結させ、椅子の座１を元位置に回転できるようにする（図１０に示すように）。
【００１９】
上盤７１と下盤７２との間には、定位ブロック７５及び弾性部材７６が設けられる。定位ブロック７５及び下盤７２は、固定軸７４の外部に固定され、弾性部材７６は、弾性部材７６を上盤７１とともに同期回動できるように上盤７１に連結される。定位ブロック７５は、多角形柱体であり、その表面に複数の位置決め面７５１が形成される。弾性部材７６は、Ｕ字状の弾性片であり、定位ブロック７５の表面を挟む。弾性部材７６は、位置決め効果を達成するため、定位ブロック７５の少なくとも一方の位置決め面７５１に当接できる。これにより、椅子の座１が所定の角度までに回転すると、位置決められて引き続き回転できず、安全性を増加させる。以上のようにして、本考案の昇降機能を持つ高齢者用椅子を作成した。
【００２０】
本考案に係る昇降機能を持つ高齢者用椅子は、以下の利点を備える。
１．重心不安定や、倒れ易いといった問題はなく、高齢者の使用に好適である。
２．ユーザが椅子を組み立てる際に、椅子の脚４の孔位置を選択することにより、ユーザは自分好みの椅子の座１の高さを選ぶことができる。
３．椅子の座１と椅子の脚４との間に回転盤７が設けられるため、椅子の座１を元位置に回転させることができ、ひいては椅子を移動させなくても座から離れることができる。
４．背もたれ２は、無段定位気圧棒５で調節し、椅子の上からも背もたれ２の傾斜角度を調整できる。
しかし、以上は単に本考案の好ましい具体的な実施例に過ぎず、本考案の実用新案登録請求の範囲を局限するものではない。いずれの当該分野における通常の知識を有する専門家は、本考案の分野の中で、適当に変更や修飾などを実施できるが、それらの実施が本考案の主張範囲内に含まれるべきことは言うまでもない。
【符号の説明】
【００２１】
１椅子の座
２背もたれ
３ひじ掛け
４椅子の脚
５気圧棒
６制御レバー
７回転盤
１１座フレーム
１２ブラケット
２１背もたれフレーム
２２枢軸
４１内脚座
４２外脚座
４１１内脚柱
４１２内孔
４１３ナット
４２１外脚柱
４２２天井板
４２３底板
４２４外孔
４２５固定ボルト
５１ピストン棒
５２中心弁棒
６１外側ハンドル
６２ねじりばね
６３押しブロック
７１上盤
７２下盤
７１１、７２１凹溝
７３ボール
７４固定軸
７５定位ブロック
７６弾性部材
７５１位置決め面
【図１】
0003149443.tif 000003
【図２】
0003149443.tif 000004
【図３】
0003149443.tif 000005
【図４】
0003149443.tif 000006
【図５】
0003149443.tif 000007
【図６】
0003149443.tif 000008
【図７】
0003149443.tif 000009
【図８】
0003149443.tif 000010
【図９】
0003149443.tif 000011
【図１０】
0003149443.tif 000012